(57)【要約】【課題】    本発明は、簡易な手段によりカバ−が構造部材から離脱するのを防ぐことができる包装体を提供することを目的としている。【解決手段】    包装体１は、被包装体２と、内部に被包装体２を収納する空間を有した直方体形状に形成された構造部材３と、この構造部材３の底部には、被包装体２を支持する支持部が形成され、構造部材３の底面を除いて構造部材３の天井面32、正面33、背面34、右側面35、左側面36をそれぞれ覆う天井面部42、正面部43、背面部44、右側面部45、左側面部46を有する直方体形状のカバ−４と、このカバ−４の正面部43、背面部44、右側面部45、左側面部46を構成する側面部には、カバ−４の下端部に至る切り込み47が設けられ、この切り込み47は、ファスナ−５により接離自在に形成され、ファスナ−５によりカバ−４の切り込み47を閉じた状態のカバ−４の下端周縁部の長さは、カバ−４の天井面42の長方形の周縁部の長さより短く形成されている。【選択図】図２
2005170457.tif 000002
【特許請求の範囲】
【請求項１】
被包装体と、
内部に前記被包装体を収納する空間を有した直方体形状に形成された構造部材と、
この構造部材の底部には、前記被包装体を支持する支持部が形成され、
前記構造部材の底面を除いて前記構造部材の天井面、正面、背面、右側面、左側面をそれぞれ覆う天井面部、正面部、背面部、右側面部、左側面部を有する直方体形状のカバ−と、
このカバ−の正面部、背面部、右側面部、左側面部を構成する側面部には、前記カバ−の下端部に至る切り込みが設けられ、この切り込みは、ファスナ−により接離自在に形成され、
前記ファスナ−により前記カバ−の切り込みを閉じた状態の前記カバ−の下端周縁部の長さは、前記カバ−の天井面の長方形の周縁部の長さより短く形成されている
ことを特徴とする包装体。
【請求項２】
被包装体と、
内部に前記被包装体を収納する空間を有した直方体形状に形成された構造部材と、
この構造部材の底部には、前記被包装体を支持する支持部が形成され、
前記構造部材の底面を除いて前記構造部材の天井面、正面、背面、右側面、左側面をそれぞれ覆う天井面部、正面部、背面部、右側面部、左側面部を有する直方体形状のカバ−と、
このカバ−の正面部、背面部、右側面部、左側面部を構成する側面部には、前記カバ−の下端部に至る切り込みが設けられ、
この切り込まれたカバ−の一方は前記切り込まれたカバ−の他方に重ねられて、前記カバ−の下端開口部は狭められ、
このカバ−の重なり状態を保持する保持部材と、
を備えていることを特徴とする包装体。
【請求項３】
被包装体と、
内部に前記被包装体を収納する空間を有した直方体形状に形成された構造部材と、
この構造部材の底部には、前記被包装体を支持する支持部が形成され、
前記構造部材の底面を除いて前記構造部材の天井面、正面、背面、右側面、左側面をそれぞれ覆う天井面部、正面部、背面部、右側面部、左側面部を有する直方体形状のカバ−と、
前記構造部材を覆う前記カバ−の下方部の一部は折られて前記カバ−の下方部に重ねられて、前記カバ−の下端開口部は狭められ、
このカバ−の重なり状態を保持する保持部材と、
を備えていることを特徴とする包装体。
【請求項４】
カバ−を構造部材に取り付ける取付部材が設けられていることを特徴とする請求項１乃至請求項３記載の包装体。
【発明の詳細な説明】
【技術分野】
【０００１】
本発明は、包装体に係り、特に、簡易な手段によりカバ−が構造部材から離脱するのを防ぐことができる包装体に関する。
【背景技術】
【０００２】
内部に被包装体を収納する空間を有した直方体形状の構造部材と、この構造部材の天井面、正面、背面、右側面、左側面を直方体形状のカバ−で覆うようにした包装体がある（例えば、特許文献１参照）。
【特許文献１】実公平８−２５７号公報
【発明の開示】
【発明が解決しようとする課題】
【０００３】
上述した包装体にあっては、構造部材（特許文献１にあっては、格子枠４）を直方体形状のカバ−（特許文献１にあっては、外装体３）で覆い易くするために、構造部材（特許文献１にあっては、格子枠４）の外表面と、この外表面に対向する直方体形状のカバ−（特許文献１にあっては、外装体３）の内壁面との間は、比較的大きく余裕を持たせている。
そのため、上述した包装体をコンテナ内に収納して、風に曝さない状態で輸送する場合、支障はない。
しかしながら、上述した包装体を風に曝した状態でトラック等によって輸送した場合、構造部材とカバ−との間には、比較的、余裕があるため、カバ−（特許文献１にあっては、外装体３）内に侵入した風により、カバ−が容易に浮き上がり、浮き上がった状態で、長時間風の作用を受けると、直方体形状のカバ−（特許文献１にあっては、外装体３）の裾に設けた円環を介して直方体形状のカバ−（特許文献１にあっては、外装体３）と構造部材（特許文献１にあっては、格子枠４）とを接続しているテ−プに力が作用し、最悪、テ−プが切れてカバ−が構造部材から離脱するという問題が生じる。
本発明は、上述した問題点を除去するようにした包装体を提供するものである。
【課題を解決するための手段】
【０００４】
上記目的を達成するために、請求項１記載の包装体は、被包装体と、内部に前記被包装体を収納する空間を有した直方体形状に形成された構造部材と、この構造部材の底部には、前記被包装体を支持する支持部が形成され、前記構造部材の底面を除いて前記構造部材の天井面、正面、背面、右側面、左側面をそれぞれ覆う天井面部、正面部、背面部、右側面部、左側面部を有する直方体形状のカバ−と、このカバ−の正面部、背面部、右側面部、左側面部を構成する側面部には、前記カバ−の下端部に至る切り込みが設けられ、この切り込みは、ファスナ−により接離自在に形成され、前記ファスナ−により前記カバ−の切り込みを閉じた状態の前記カバ−の下端周縁部の長さは、前記カバ−の天井面の長方形の周縁部の長さより短く形成されている。
【０００５】
また、請求項２記載の包装体は、被包装体と、内部に前記被包装体を収納する空間を有した直方体形状に形成された構造部材と、この構造部材の底部には、前記被包装体を支持する支持部が形成され、前記構造部材の底面を除いて前記構造部材の天井面、正面、背面、右側面、左側面をそれぞれ覆う天井面部、正面部、背面部、右側面部、左側面部を有する直方体形状のカバ−と、このカバ−の正面部、背面部、右側面部、左側面部を構成する側面部には、前記カバ−の下端部に至る切り込みが設けられ、この切り込まれたカバ−の一方は前記切り込まれたカバ−の他方に重ねられて、前記カバ−の下端開口部は狭められ、このカバ−の重なり状態を保持する保持部材とを備えている。
【０００６】
また、請求項３記載の包装体は、被包装体と、内部に前記被包装体を収納する空間を有した直方体形状に形成された構造部材と、この構造部材の底部には、前記被包装体を支持する支持部が形成され、前記構造部材の底面を除いて前記構造部材の天井面、正面、背面、右側面、左側面をそれぞれ覆う天井面部、正面部、背面部、右側面部、左側面部を有する直方体形状のカバ−と、前記構造部材を覆う前記カバ−の下方部の一部は折られて前記カバ−の下方部に重ねられて、前記カバ−の下端開口部は狭められ、このカバ−の重なり状態を保持する保持部材とを備えている。
【０００７】
また、請求項４記載の包装体は、請求項１乃至請求項３記載の包装体において、カバ−を構造部材に取り付ける取付部材が設けられている。
【発明の効果】
【０００８】
請求項１記載の包装体によれば、カバ−を構造部材に装着する場合、ファスナ−によりカバ−の切り込みを開くという簡易な手段により、カバ−を広げることができるため、カバ−を構造部材へ装着し易く、                                                      カバ−を構造部材に装着した後は、ファスナ−によりカバ−の切り込みを閉じるという簡易な手段により、ファスナ−によりカバ−の切り込みを閉じた状態のカバ−の下端周縁部の長さは、カバ−の底面（天井面）の長方形の周縁部の長さより短くなっている、つまり、カバ−の下端開口部が狭まっているため、トラック等による包装体の輸送中、カバ−内に侵入した空気によりカバ−が上方へ移動しにくくカバ−が構造部材から離脱するのを防ぐことができると共に、カバ−の下端とこのカバ−の下端の裏面に対応する構造部材との間隔も小さいため、カバ−のバタツキの振幅も小さくカバ−のバタツキによるカバ−の損傷をも防ぐことができる。
【０００９】
また、請求項２記載の包装体によれば、カバ−を構造部材に装着する場合、カバ−の下端縁部に至る切り込みを介してカバ−を広げることができるため、カバ−を構造部材へ装着し易く、
カバ−を構造部材に装着した後は、切り込まれたカバ−の一方を切り込まれたカバ−の他方に重ねられて、前記カバ−の下端開口部は狭められ、このカバ−の重なり状態を保持部材により保持することにより、つまり、保持部材によりカバ−の重なり状態を保持した状態のカバ−の下端周縁部の長さは、カバ−の天井面の長方形の周縁部の長さより短くなっている。そのため、トラック等による包装体の輸送中、カバ−内に侵入した空気によりカバ−が上方へ移動しにくくカバ−が構造部材から離脱するのを防ぐことができると共に、カバ−の下端とこのカバ−の下端の裏面に対応する構造部材との間隔も小さいため、カバ−のバタツキの振幅も小さくカバ−のバタツキによるカバ−の損傷をも防ぐことができる。
【００１０】
また、請求項３記載の包装体によれば、カバ−を構造部材に装着した後は、カバ−の下方部の一部は折られて前記カバに重ねられ、前記カバ−の下端開口部は狭められ、このカバ−の重なり状態を保持部材により保持することにより、、つまり、保持部材によりカバ−の重なり状態を保持した状態のカバ−の下端周縁部の長さは、カバ−の天井面の長方形の周縁部の長さより短くなっている。そのため、トラック等による包装体の輸送中、カバ−内に侵入した空気によりカバ−が上方へ移動しにくくカバ−が構造部材から離脱するのを防ぐことができると共に、カバ−の下端とこのカバ−の下端の裏面に対応する構造部材との間隔も小さいため、カバ−のバタツキの振幅も小さくカバ−のバタツキによるカバ−の損傷をも防ぐことができる。
【実施例】
【００１１】
本発明の一実施例の包装体を図面を参照して説明する。
図１乃至図３において、１は包装体で、包装体１は、概略的に、内部に被包装体２を収納する空間を有した直方体形状に形成された構造部材３と、この構造部材３の底面31を除いて構造部材３の天井面32、正面33、背面34、右側面35、左側面36をそれぞれ覆う天井面部42、正面部43、背面部44、右側面部45、左側面部46を有する直方体形状のカバ−４とを有する。41はカバ−４の開口部である。
【００１２】
被包装体２は、例えば、図示しないが、ビニ−ルの袋内に設けられたスノ−モ−ビルである。被包装体２は、構造部材の底部に形成された支持部（支持部は、脚部S12 、S13 である。）に支持されている。21は、被包装体２を構造部材３に固定するためのバンドである。
【００１３】
構造部材３は、例えば、矩形形状の枠材（例えば、鋼材）で形成した底面31と矩形形状の枠材（例えば、鋼材）で形成した矩形形状の天井面32とを支持部材（例えば、鋼材）S1、S2、S3、S4で接続して、形成される（なお、直方体形状に形成された構造部材３は、枠材に限らず、例えば、図示しないが、内部に被包装体２を収納する空間を有し、底面を除いて、正面33、背面34、右側面35、左側面36を板材で構成するようにしても良い。）。    なお、S5、S6、S7、S8、S9、S10 は、正面33、背面34、右側面35、左側面36をそれぞれ補強する補強部材である。また、S11 、S12 、S13 、S14 はフォ−クリフトの爪が挿入できるスペ−スを形成するための脚部である。
この脚部S11 、S12 、S13 、S14 の内、脚部S12 、S13 の地面と反対側の面は、被包装体２を支持する支持部となっている。
また、構造部材３の天井面32の四隅には、ストッパ−30、30、30、30が設けられ、ストッパ−30、30、30、30に、上に位置する構造部材３の脚部S11 、S14 を係止させ、構造部材３の天井面32の上に構造部材３を積層した場合、上に位置する構造部材３が移動しないようにしている。
【００１４】
また、カバ−４の正面部43、背面部44、右側面部45、左側面部46を構成する側面部には、カバ−４の下端部に至る切り込み47が設けられ、この切り込み47は、ファスナ−５により接離自在に形成されている。即ち、ファスナ−５を天井面部42に向かって移動させることにより切り込み47が接するようにして切り込み47を閉じ、逆に、ファスナ−５を天井面部42から遠ざかるように移動させることにより切り込み47が離れるようにして切り込み47を開くようになっている。
そして、ファスナ−５によりカバ−４の切り込み47を閉じた状態のカバ−４の下端周縁部の長さは、カバ−４の天井面42の長方形の周縁部の長さより短く形成されている。
即ち、図２に示すように、ファスナ−５によりカバ−４の切り込み47を閉じた状態のカバ−４の下端周縁部の長さ（ｌ＝ｌ1 ＋ｌ2 ＋ｌ3 ＋ｌ4 ）は、カバ−４の天井面42の長方形の周縁部の長さ（Ｌ＝Ｌ1 ＋Ｌ2 ＋Ｌ3 ＋Ｌ4 ）より短く、（例えば、60〜80mm程度短い。Ｌ＞ｌ）形成されている。
なお、カバ−４の天井面42の長方形の周縁部の長さは、構造部材３の天井面32の周縁部の長さより、例えば、100mm 程度長く、また、ファスナ−５によりカバ−４の切り込み47を閉じた状態のカバ−４の下端周縁部の長さは、構造部材３の底面31の周縁部の長さより、例えば、20〜40mm程度長くなっている。
また、カバ−４の天井面42の四隅には、ストッパ−30、30、30、30を通す三角形状の開口部40、40、40、40が設けられている。
【００１５】
従って、折曲自在なカバ−４を広げ［図２（ａ）（ｂ）］ると共に、図３に示すように、ファスナ−５が開いて構造部材３に装着すれば、カバ−４の開口部41が広がり、カバ−４を構造部材３に装着し易い。
カバ−４を構造部材３に装着した後、ファスナ−５を閉じる。ファスナ−５を閉じると、ファスナ−５によりカバ−４の切り込み47を閉じた状態のカバ−４の下端周縁部の長さｌは、カバ−４の底面（天井面42）の長方形の周縁部の長さＬより短くなっている、つまり、カバ−４の下端開口部が狭まっているため、トラック等による包装体１の輸送中、カバ−４内に侵入した空気によりカバ−４が上方へ移動しにくくカバ−４が構造部材３から離脱するのを防ぐことができると共に、カバ−４の下端とこのカバ−４の下端の裏面に対応する構造部材３との間隔も小さいため、カバ−４のバタツキの振幅も小さくカバ−４のバタツキによるカバ−４の損傷をも防ぐことができる。
【００１６】
なお、７は取付部材で、取付部材７はカバ−４を構造部材３に取り付ける部材で、より具体的には、カバ−４の天井面部42、カバ−４の正面部43、構造部材３の底部、カバ−４の背面部44にそれぞれ当接するバンドである。
【００１７】
なお、より望ましくは、構造部材３を覆うカバ−４は、ファスナ−５によりカバ−の切り込み47が閉じられると共に、構造部材４の下側部の全周に渡って接触するように寸法設定するようにすると良い。このように、カバ−４の下端部を構造部材４の下側部の全周に渡って接触するようにすると、包装体１の輸送中、カバ−４の下端部と構造部材３の下側部との間からの空気の侵入を防ぐと共に、カバ−４の下端開口部が狭まってカバ−４の下端部を構造部材３の下側部に接触させている分、カバ−４内に侵入した空気によりカバ４−の下端周縁部が上に移動しにくくカバ−４が構造部材３から離脱するのをより防ぐことができる。
【００１８】
上述した実施例においては、ファスナ−５によりカバ−４の切り込み47を閉じた状態のカバ−４の下端周縁部の長さｌを、カバ−４の天井面42の長方形の周縁部Ｌの長さより短く形成するようにしたが、本願発明にあっては、これに限らず、例えば、図４乃至図７に示す包装体１でも良い。
【００１９】
即ち、図４及び図５に示す包装体１は、カバ−４の正面部43、背面部44、右側面部45、左側面部46を構成する側面部には、カバ−４の下端部に至る切り込み47が設けられている。
折曲自在なカバ−４を構造部材３に装着する場合、カバ−４の下端縁部に至る切り込み47を介してカバ−４を広げることができるため、カバ−４を構造部材３へ装着し易い。    カバ−４を構造部材３に装着した後は、切り込まれたカバ−４の一方を切り込まれたカバ−４の他方に重ねられて、カバ−４の下端開口部41は狭められ（言い換えれば、カバ−４の下端開口部41を狭めるように、切り込まれたカバ−４の一方を切り込まれたカバ−４の他方に重ねる。）、このカバ−４の重なり状態を保持部材８（保持部材８は、例えば、粘着テ−プ、接着テ−プ、カバ−４の一方の裏面に設けた第１の面状ファスナとカバ−４の他方の表面に設けた第２の面状ファスナ等）により保持することにより、つまり、保持部材８によりカバ−４の重なり状態を保持した状態のカバ−４の下端周縁部の長さ（ｌ＝ｌ1 ＋ｌ2 ＋ｌ3 ＋ｌ4 ）は、カバ−４の天井面42の長方形の周縁部の長さ（Ｌ＝Ｌ1 ＋Ｌ2 ＋Ｌ3 ＋Ｌ4 、Ｌ＞ｌ）より短く、例えば、60〜80mm程度短くなっている。
そのため、トラック等による包装体１の輸送中、カバ−４内に侵入した空気によりカバ−４が上方へ移動しにくくカバ−４が構造部材３から離脱するのを防ぐことができると共に、カバ−４の下端とこのカバ−４の下端の裏面に対応する構造部材３との間隔も小さいため、カバ−４のバタツキの振幅も小さくカバ−４のバタツキによるカバ−４の損傷をも防ぐことができる。
なお、図４は、保持部材８によりカバ−４の重なり状態を保持しない場合、カバ−４の天井面42の長方形の周縁部の長さとカバ−４の下端周縁部の長さが同じであることを、図５は、保持部材８によりカバ−４の重なり状態を保持した状態のカバ−４の下端周縁部の長さ（ｌ＝ｌ1 ＋ｌ2 ＋ｌ3 ＋ｌ4 ）は、カバ−４の天井面42の長方形の周縁部の長さ（Ｌ＝Ｌ1 ＋Ｌ2 ＋Ｌ3 ＋Ｌ4 、Ｌ＞ｌ）より短くなることを示している。７は前述の実施例と同様、カバ−４を構造部材３に取り付ける取付部材である。
【００２０】
次に、図６及び図７に示す包装体１について説明する。
図６に示すように、折曲自在なカバ−４を構造部材３に装着する前にあっては、カバ−４の下端周縁部の長さとカバ−４の天井面42の長方形の周縁部の長さは同じで、また、カバ−４の天井面42の長方形の周縁部の長さ及びカバ−４の下端周縁部の長さは、構造部材３の天井面32の周縁部の長さより、例えば、100mm 程度長く、なっている。
カバ−４を構造部材３に装着する場合、カバ−４の天井面42の長方形の周縁部の長さ及びカバ−４の下端周縁部の長さは、構造部材３の天井面32の周縁部の長さより長くなっているため、カバ−４を構造部材３へ装着し易い。
カバ−４を構造部材３に装着した後は、カバ−４の下方部の一部は折られてカバ−４の下方部に重ねられて、カバ−４の下端開口部は狭められ（言い換えれば、カバ−４の下端開口部41を狭めるように、カバ−４の下方部の一部を折って、折ったカバ−４を倒してカバ−４に重ねる。）、このカバ−４の重なり状態を保持部材８（保持部材８は、例えば、粘着テ−プ、接着テ−プ等）により保持することにより、つまり、保持部材８によりカバ−４の重なり状態を保持した状態のカバ−４の下端周縁部の長さ（ｌ＝ｌ1 ＋ｌ2 ＋ｌ3 ＋ｌ4 ）は、カバ−４の天井面42の長方形の周縁部の長さ（Ｌ＝Ｌ1 ＋Ｌ2 ＋Ｌ3 ＋Ｌ4 、Ｌ＞ｌ）より短く、例えば、60〜80mm程度短くなっている。
そのため、トラック等による包装体１の輸送中、カバ−４内に侵入した空気によりカバ−４が上方へ移動しにくくカバ−４が構造部材３から離脱するのを防ぐことができると共に、カバ−４の下端とこのカバ−４の下端の裏面に対応する構造部材３との間隔も小さいため、カバ−４のバタツキの振幅も小さくカバ−４のバタツキによるカバ−４の損傷をも防ぐことができる。
なお、図６は、保持部材８によりカバ−４の重なり状態を保持しない場合、カバ−４の天井面42の長方形の周縁部の長さとカバ−４の下端周縁部の長さが同じであることを、図７は、保持部材８によりカバ−４の重なり状態を保持した状態のカバ−４の下端周縁部の長さ（ｌ＝ｌ1 ＋ｌ2 ＋ｌ3 ＋ｌ4 ）は、カバ−４の天井面42の長方形の周縁部の長さ（Ｌ＝Ｌ1 ＋Ｌ2 ＋Ｌ3 ＋Ｌ4 、Ｌ＞ｌ）より短くなることを示している。７は前述の実施例と同様、カバ−４を構造部材３に取り付ける取付部材である。
【図面の簡単な説明】
【００２１】
【図１】図１は、本発明の一実施例の包装体の概略的斜視図である。
【図２】図２は図１の包装体に組み込まれるカバ−で、（ａ）はカバ−が折り畳まれている状態の概略的斜視図であり、（ｂ）は折り畳まれたカバ−を広げる途中の状態の概略的斜視図であり、（ｃ）は折り畳まれたカバ−が広げられた状態の概略的斜視図である。
【図３】図３は、図１のカバ−を構造部材に装着する前の状態の概略的斜視図である。
【図４】図４は、図１と異なる他の実施例の包装体の保持部材によるカバ−の重なり状態を保持する前の状態の概略的斜視図である。
【図５】図５は、図４の包装体の保持部材によるカバ−の重なり状態を保持した状態の概略的斜視図である。
【図６】図６は、図４と異なる他の実施例の包装体の保持部材によるカバ−の重なり状態を保持する前の状態の概略的斜視図である。
【図７】図７は、図６の包装体の保持部材によるカバ−の重なり状態を保持した状態の概略的斜視図である。
【符号の説明】
【００２２】
１  ・・・・・包装体
２  ・・・・・被包装体
３  ・・・・・構造部材
４  ・・・・・カバ−
５  ・・・・・ファスナ−
47  ・・・・・切り込み
【図１】
2005170457.tif 000003
【図２】
2005170457.tif 000004
【図３】
2005170457.tif 000005
【図４】
2005170457.tif 000006
【図５】
2005170457.tif 000007
【図６】
2005170457.tif 000008
【図７】
2005170457.tif 000009
【手続補正書】
【提出日】平成16年4月16日(2004.4.16)
【手続補正１】
【補正対象書類名】特許請求の範囲
【補正対象項目名】全文
【補正方法】変更
【補正の内容】
【特許請求の範囲】
【請求項１】
被包装体と、
内部に前記被包装体を収納する空間を有した直方体形状に形成された構造部材と、
この構造部材の底部には、前記被包装体を支持する支持部が形成され、
前記構造部材の底面を除いて前記構造部材の天井面、正面、背面、右側面、左側面を  それぞれ覆う天井面部、正面部、背面部、右側面部、左側面部を有する直方体形状のカ  バ−と、
このカバ−の正面部、背面部、右側面部、左側面部を構成する側面部には、前記カバ  −の下端部に至る切り込みが設けられ、この切り込みは、ファスナ−により接離自在に  形成され、
前記ファスナ−により前記カバ−の切り込みを閉じた状態の前記カバ−の下端周縁部  の長さは、前記カバ−の天井面の長方形の周縁部の長さより短く形成され、
前記カバ−を前記構造部材に取り付ける取付部材が設けられている
ことを特徴とする包装体。
【請求項２】
被包装体と、
内部に前記被包装体を収納する空間を有した直方体形状に形成された構造部材と、
この構造部材の底部には、前記被包装体を支持する支持部が形成され、
前記構造部材の底面を除いて前記構造部材の天井面、正面、背面、右側面、左側面を  それぞれ覆う天井面部、正面部、背面部、右側面部、左側面部を有する直方体形状のカ  バ−と、
このカバ−の正面部、背面部、右側面部、左側面部を構成する側面部には、前記カバ  −の下端部に至る切り込みが設けられ、
この切り込まれたカバ−の一方は前記切り込まれたカバ−の他方に重ねられて、前記  カバ−の下端開口部は狭められ、
このカバ−の重なり状態を保持する保持部材とを備え、
前記カバ−を前記構造部材に取り付ける取付部材が設けられている
ことを特徴とする包装体。
【請求項３】
被包装体と、
内部に前記被包装体を収納する空間を有した直方体形状に形成された構造部材と、
この構造部材の底部には、前記被包装体を支持する支持部が形成され、
前記構造部材の底面を除いて前記構造部材の天井面、正面、背面、右側面、左側面を  それぞれ覆う天井面部、正面部、背面部、右側面部、左側面部を有する直方体形状のカ  バ−と、
前記構造部材を覆う前記カバ−の下方部の一部は折られて前記カバ−の下方部に重ね  られて、前記カバ−の下端開口部は狭められ、
このカバ−の重なり状態を保持する保持部材とを備え、
前記カバ−を前記構造部材に取り付ける取付部材が設けられている
ことを特徴とする包装体。
【手続補正２】
【補正対象書類名】明細書
【補正対象項目名】０００４
【補正方法】変更
【補正の内容】
【０００４】
上記目的を達成するために、請求項１記載の包装体は、被包装体と、内部に前記被包装体を収納する空間を有した直方体形状に形成された構造部材と、この構造部材の底部には、前記被包装体を支持する支持部が形成され、前記構造部材の底面を除いて前記構造部材の天井面、正面、背面、右側面、左側面をそれぞれ覆う天井面部、正面部、背面部、右側面部、左側面部を有する直方体形状のカバ−と、このカバ−の正面部、背面部、右側面部、左側面部を構成する側面部には、前記カバ−の下端部に至る切り込みが設けられ、この切り込みは、ファスナ−により接離自在に形成され、前記ファスナ−により前記カバ−の切り込みを閉じた状態の前記カバ−の下端周縁部の長さは、前記カバ−の天井面の長方形の周縁部の長さより短く形成され、前記カバ−を前記構造部材に取り付ける取付部材が設けられている。
【手続補正３】
【補正対象書類名】明細書
【補正対象項目名】０００５
【補正方法】変更
【補正の内容】
【０００５】
また、請求項２記載の包装体は、被包装体と、内部に前記被包装体を収納する空間を有した直方体形状に形成された構造部材と、この構造部材の底部には、前記被包装体を支持する支持部が形成され、前記構造部材の底面を除いて前記構造部材の天井面、正面、背面、右側面、左側面をそれぞれ覆う天井面部、正面部、背面部、右側面部、左側面部を有する直方体形状のカバ−と、このカバ−の正面部、背面部、右側面部、左側面部を構成する側面部には、前記カバ−の下端部に至る切り込みが設けられ、この切り込まれたカバ−の一方は前記切り込まれたカバ−の他方に重ねられて、前記カバ−の下端開口部は狭められ、このカバ−の重なり状態を保持する保持部材とを備え、前記カバ−を前記構造部材に取り付ける取付部材が設けられている。
【手続補正４】
【補正対象書類名】明細書
【補正対象項目名】０００６
【補正方法】変更
【補正の内容】
【０００６】
また、請求項３記載の包装体は、被包装体と、内部に前記被包装体を収納する空間を有した直方体形状に形成された構造部材と、この構造部材の底部には、前記被包装体を支持する支持部が形成され、前記構造部材の底面を除いて前記構造部材の天井面、正面、背面、右側面、左側面をそれぞれ覆う天井面部、正面部、背面部、右側面部、左側面部を有する直方体形状のカバ−と、前記構造部材を覆う前記カバ−の下方部の一部は折られて前記カバ−の下方部に重ねられて、前記カバ−の下端開口部は狭められ、このカバ−の重なり状態を保持する保持部材とを備え、前記カバ−を前記構造部材に取り付ける取付部材が設けられている。
【手続補正５】
【補正対象書類名】明細書
【補正対象項目名】０００７
【補正方法】削除
【補正の内容】